(57)【要約】【課題】ネットワーク通信の接続状態を小さな表示領域で効率良く表示可能な無線通信装置を得ること。【解決手段】基地局との無線通信および通信ネットワークを介したネットワーク通信を行う際の通信状態を表示する無線通信装置において、基地局から受信した電波の受信感度を検出する電波強度検出部と、ネットワーク通信を行う際のネットワーク通信プロトコルの接続状態を検出する接続状態検出部と、電波の受信感度およびネットワーク通信プロトコルの接続状態を表示するための表示信号を、電波の受信感度およびネットワーク通信プロトコルの接続状態に基づいて生成する表示信号生成部と、表示信号生成部が生成した表示信号に基づいて通信状態を表示する表示部と、を備え、表示部は、電波の受信感度を表示するアンテナの背景色を用いて、ネットワーク通信プロトコルの接続状態を表示する。【選択図】図６
2007150797.tif 000002
【特許請求の範囲】
【請求項１】
基地局との無線通信および通信ネットワークを介したネットワーク通信を行う際の通信状態を表示する無線通信装置において、
前記基地局から受信した電波の強度を無線電波強度として検出する電波強度検出部と、
前記ネットワーク通信を行う際のネットワーク通信プロトコルの接続状態をネットワーク接続状態として検出する接続状態検出部と、
前記無線通信および前記ネットワーク通信に関する通信状態を表示するための表示信号を、前記電波強度検出部が検出した無線電波強度および前記接続状態検出部が検出したネットワーク接続状態に基づいて生成する表示信号生成部と、
前記表示信号生成部が生成した表示信号に基づいて、前記通信状態を表示する表示部と、を備え、
前記表示部は、前記無線通信に関する通信状態を表示する記号を用いて、前記ネットワーク通信に関する通信状態を表示することを特徴とする無線通信装置。
【請求項２】
前記表示信号生成部は、前記記号の背景色を変化させることによって前記ネットワーク通信に関する通信状態の変化を表示する表示信号を生成することを特徴とする請求項１に記載の無線通信装置。
【請求項３】
前記表示信号生成部は、前記記号自体の色を変化させることによって前記ネットワーク通信に関する通信状態の変化を表示する表示信号を生成することを特徴とする請求項１または２に記載の無線通信装置。
【請求項４】
前記表示信号生成部は、前記記号内の線の種類を変化させることによって前記ネットワーク通信に関する通信状態の変化を表示する表示信号を生成することを特徴とする請求項１〜３のいずれか１つに記載の無線通信装置。
【請求項５】
前記表示信号生成部は、前記記号を表示する際の当該記号の点滅パターンを変化させることによって前記ネットワーク通信に関する通信状態の変化を表示する表示信号を生成することを特徴とする請求項１〜４のいずれか１つに記載の無線通信装置。
【請求項６】
前記記号の点滅パターンは、前記記号を点滅させる点滅周期であることを特徴とする請求項５に記載の無線通信装置。
【請求項７】
前記表示部は、液晶ディスプレイを含んで構成されることを特徴とする請求項１〜６のいずれか１つに記載の無線通信装置。
【請求項８】
前記表示部は、発光ダイオードを含んで構成されることを特徴とする請求項１〜７のいずれか１つに記載の無線通信装置。
【請求項９】
基地局との無線通信および通信ネットワークを介したネットワーク通信を行う無線通信装置において、
前記ネットワーク通信を行う際のネットワーク通信プロトコルの接続状態をネットワーク接続状態として検出する接続状態検出部と、
前記ネットワーク通信に関する通信状態を音出力によって通知するための音信号を、前記接続状態検出部が検出したネットワーク接続状態に基づいて生成する音信号生成部と、
前記音信号生成部が生成した音信号に基づいて、前記ネットワーク通信に関する通信状態を通知するための音出力を行う音出力部と、
を備えることを特徴とする無線通信装置。
【請求項１０】
前記音信号生成部は、前記音出力の音周波数を変化させることによって前記ネットワーク通信に関する通信状態の変化を通知する音信号を生成することを特徴とする請求項９に記載の無線通信装置。
【請求項１１】
前記音信号生成部は、前記音出力の出力断続周期を変化させることによって前記ネットワーク通信に関する通信状態の変化を通知する音信号を生成することを特徴とする請求項９に記載の無線通信装置。
【請求項１２】
基地局との無線通信および通信ネットワークを介したネットワーク通信を行う無線通信装置において、
前記ネットワーク通信を行う際のネットワーク通信プロトコルの接続状態をネットワーク接続状態として検出する接続状態検出部と、
前記ネットワーク通信に関する通信状態を振動出力によって通知するための振動信号を、前記接続状態検出部が検出したネットワーク接続状態に基づいて生成する振動信号生成部と、
前記振動信号生成部が生成した振動信号に基づいて、前記ネットワーク通信に関する通信状態を通知するための振動出力を行う振動出力部と、
を備えることを特徴とする無線通信装置。
【請求項１３】
前記振動信号生成部は、前記振動出力の振動周波数を変化させることによって前記ネットワーク通信に関する通信状態の変化を通知する振動信号を生成することを特徴とする請求項１２に記載の無線通信装置。
【請求項１４】
前記振動信号生成部は、前記振動出力の出力断続周期を変化させることによって前記ネットワーク通信に関する通信状態の変化を通知する振動信号を生成することを特徴とする請求項１２に記載の無線通信装置。
【請求項１５】
基地局との無線通信および通信ネットワークを介したネットワーク通信を行う無線通信装置において、
前記ネットワーク通信を行う際のネットワーク通信プロトコルの接続状態をネットワーク接続状態として検出する接続状態検出部と、
前記ネットワーク通信に関する通信状態を表示するための表示信号を、前記接続状態検出部が検出したネットワーク接続状態に基づいて生成する表示信号生成部と、
前記表示信号生成部が生成した表示信号に基づいて、前記ネットワーク通信に関する通信状態をＬＥＤに表示する表示部と、
を備えることを特徴とする無線通信装置。
【請求項１６】
基地局との無線通信および通信ネットワークを介したネットワーク通信を行う際の通信状態を表示する無線通信装置の情報通知方法において、
前記基地局から受信した電波の強度を無線電波強度として検出する電波強度検出ステップと、
前記ネットワーク通信を行う際のネットワーク通信プロトコルの接続状態をネットワーク接続状態として検出する接続状態検出ステップと、
前記無線通信および前記ネットワーク通信に関する通信状態を表示するための表示信号を、前記無線電波強度および前記ネットワーク接続状態に基づいて生成する表示信号生成ステップと、
前記生成された表示信号に基づいて、前記通信状態を表示する表示ステップと、
を含み、
前記表示ステップは、前記無線通信に関する通信状態を表示する記号を用いて、前記ネットワーク通信に関する通信状態を表示することを特徴とする情報通知方法。
【請求項１７】
基地局との無線通信および通信ネットワークを介したネットワーク通信を行う無線通信装置の情報通知方法において、
前記ネットワーク通信を行う際のネットワーク通信プロトコルの接続状態をネットワーク接続状態として検出する接続状態検出ステップと、
前記ネットワーク通信に関する通信状態を音出力によって通知するための音信号を、前記ネットワーク接続状態に基づいて生成する音信号生成ステップと、
前記生成された音信号に基づいて、前記ネットワーク通信に関する通信状態を通知するための音出力を行う音出力ステップと、
を含むことを特徴とする情報通知方法。
【請求項１８】
基地局との無線通信および通信ネットワークを介したネットワーク通信を行う無線通信装置の情報通知方法において、
前記ネットワーク通信を行う際のネットワーク通信プロトコルの接続状態をネットワーク接続状態として検出する接続状態検出ステップと、
前記ネットワーク通信に関する通信状態を振動出力によって通知するための振動信号を、前記ネットワーク接続状態に基づいて生成する振動信号生成ステップと、
前記生成された振動信号に基づいて、前記ネットワーク通信に関する通信状態を通知するための振動出力を行う振動出力ステップと、
を含むことを特徴とする情報通知方法。
【発明の詳細な説明】
【技術分野】
【０００１】
本発明は通信接続状態の通知を行なう無線通信装置および情報通知方法に関するものである。
【背景技術】
【０００２】
近年のブロードバンドの普及に伴い、インターネット技術を利用したＩＰ（Ｉｎｔｅｒｎｅｔ  Ｐｒｏｔｏｃｏｌ）電話が一般家庭でも利用されつつある。このＩＰ電話においては、無線ＬＡＮ（Ｌｏｃａｌ  Ａｒｅａ  Ｎｅｔｗｏｒｋ）環境を利用してＩＰ電話網に接続する無線ＩＰ電話（例えば携帯電話とＩＰ電話を組み合わせた通信端末）も普及し始めている。
【０００３】
現行の無線電話には、電波状態の表示を行う機能が搭載されているのが一般的である。電波状態の表示方法は、無線電話の受信感度に応じて、所定の受信状態を表示するものである。
【０００４】
図９は、従来の無線電話装置の構成を示すブロック図であり、図１０は従来の無線電話装置の受信状態の表示例を示す図である。図９に示す無線電話装置２００おいて、２０１はアンテナ、２０２はアンテナ２０１より受信された信号のベースバンド信号と電界強度信号を出力する受信部である。
【０００５】
２０４は受信部２０２から出力されるベースバンド信号をフレーム処理して音声信号に変換し、その音声信号をスピーカ２０５に出力する機能と、マイク２０６からの音声信号をベースバンド信号に変換する機能とを備えたベースバンド部である。
【０００６】
２０３はベースバンド部２０４からの信号を無線周波数に変換し、アンテナ２０１に送る送信部である。２０７は受信部２０２からの受信電界強度信号をＡ／Ｄ変換するＡ／Ｄ変換部である。２０８はＡ／Ｄ変換された受信電界強度信号に基づいて受信電界強度のレベルを判定し、そのレベルに応じた表示を表示部２１０で行わせるための制御信号を出力する判定部である。２０９は無線電話装置２００の通信処理を制御する制御部である。
【０００７】
このような構成により、受信状態の表示を例えば図１０に示すような３段階で行うことができる。すなわち、受信感度がａ（ｄＢｍ）以下であれば圏外を表示し、受信感度がａ（ｄＢｍ）からｂ（ｄＢｍ）の範囲内であれば棒を２本表示し、受信感度がｂ（ｄＢｍ）以上であれば、棒を３本表示する。この棒の表示状態によって、ユーザは無線電話装置２００が利用可能であるかどうかを知ることができる。
【０００８】
しかしながら、上記のような従来の技術では、受信感度による通信の可否については把握することはできるが、ＩＰ電話の接続状態による通話の可否については判断することが困難である。ＩＰ電話が利用可能となるためには、一般的に（１）ＩＰアドレスの取得、（２）自端末のＳＩＰ（Ｓｅｓｓｉｏｎ  Ｉｎｉｔｉａｔｉｏｎ  Ｐｒｏｔｏｃｏｌ）サーバへの登録などの手続きが必要である。これらの接続手続きが完了しない間は通話不能となる。従来の技術では、これらの手続きが完了したか否かを提示する手段を持っておらず、ユーザはＩＰ電話が利用可能であるのか否かを判断することが困難であった。
【０００９】
これらの課題に対応する無線ＩＰ電話として、従来の携帯電話としてのＦＯＭＡ（Ｆｒｅｅｄｏｍ  Ｏｆ  Ｍｏｂｉｌｅ  ｍｕｌｔｉｍｅｄｉａ  Ａｃｃｅｓｓ）サービスと、ＳＩＰを使ったＩＰ電話サービスが利用可能な通信端末（携帯電話）が既に開発されてい
る。
【００１０】
図１１は、従来の携帯電話のディスプレイ表示の一部を示す図である。図１０に示す携帯電話においては、携帯電話（ＦＯＭＡサービス用）の受信感度表示（図形３０１）に加え、無線ＬＡＮの受信感度示す表示（図形３０２）を備えている。さらに、ＩＰ電話が利用可能となるための手続き（ＩＰアドレスの取得、自端末のＳＩＰサーバへの登録など）が完了したか否かを示す表示（図形３０３）を備えている（非特許文献１参照）。このような表示によって、ユーザは携帯電話とＩＰ電話のそれぞれのサービスが利用可能であるか否かを知ることが可能となる。
【非特許文献１】ＮＴＴ  ＤｏＣｏＭｏ，“ＦＯＭＡ  Ｎ９００ｉＬ  取り扱い説明書”，ＮＴＴ  ＤｏＣｏＭｏ，平成１６年４月１２日，３版，Ｐ．３５
【発明の開示】
【発明が解決しようとする課題】
【００１１】
しかしながら、上記従来の技術では、受信感度の図形表示に加え、ＩＰ電話サービスが受けられるか否かの図形も表示するため、その図形表示によってＬＣＤの表示領域を占有してしまう。このため、他の情報表示が制限されてしまう可能性があるといった問題があった。また、従来と同等の情報量を表示しようとした場合には、画面の表示文字を小さくするなどの調整が必要となり、結果的にユーザによる視認性に影響を与えるといった問題があった。
【００１２】
本発明は、上記に鑑みてなされたものであって、ネットワーク通信の接続状態を小さな表示領域で効率良く表示可能な無線通信装置および情報通知方法を提供することを目的とする。
【課題を解決するための手段】
【００１３】
上記課題を解決するために本発明は、基地局との無線通信および通信ネットワークを介したネットワーク通信を行う際の通信状態を表示する無線通信装置において、前記基地局から受信した電波の強度を無線電波強度として検出する電波強度検出部と、前記ネットワーク通信を行う際のネットワーク通信プロトコルの接続状態をネットワーク接続状態として検出する接続状態検出部と、前記無線通信および前記ネットワーク通信に関する通信状態を表示するための表示信号を、前記電波強度検出部が検出した無線電波強度および前記接続状態検出部が検出したネットワーク接続状態に基づいて生成する表示信号生成部と、前記表示信号生成部が生成した表示信号に基づいて、前記通信状態を表示する表示部と、を備え、前記表示部は、前記無線通信に関する通信状態を表示する記号を用いて、前記ネットワーク通信に関する通信状態を表示することを特徴とする。
【発明の効果】
【００１４】
本発明によれば、ネットワーク通信の接続状態を小さな表示領域で効率良く表示可能な無線通信装置が得られるという効果を奏する。
【発明を実施するための最良の形態】
【００１５】
本発明の第１の発明の無線通信装置は、基地局との無線通信および通信ネットワークを介したネットワーク通信を行う際の通信状態を表示する無線通信装置において、基地局から受信した電波の強度を無線電波強度として検出する電波強度検出部と、ネットワーク通信を行う際のネットワーク通信プロトコルの接続状態をネットワーク接続状態として検出する接続状態検出部と、無線通信およびネットワーク通信に関する通信状態を表示するための表示信号を、電波強度検出部が検出した無線電波強度および接続状態検出部が検出したネットワーク接続状態に基づいて生成する表示信号生成部と、表示信号生成部が生成した表示信号に基づいて、通信状態を表示する表示部と、を備え、表示部は、無線通信に関
する通信状態を表示する記号を用いて、ネットワーク通信に関する通信状態を表示するものである。この構成により、ＩＰ電話の接続状態等のネットワーク通信に関する通信状態を、無線通信に関する通信状態を表示する記号を用いて表示するので、無線通信に関する通信の可否と、ネットワーク通信による通信の可否を合わせて表示することができる。また、ネットワーク通信に関する通信状態の表示用に新たに記号の表示領域を設ける必要がなく、ユーザの視認性や操作性に影響する表示レイアウトの変更も不要になるという作用を有する。
【００１６】
第２の発明の無線通信装置は、第１の発明の無線通信装置において、表示信号生成部は、記号の背景色を変化させることによってネットワーク通信に関する通信状態の変化を表示する表示信号を生成するものである。この構成により、ネットワーク通信による通信の可否を記号の背景色によって表示することが可能になるという作用を有する。
【００１７】
第３の発明の無線通信装置は、第１の発明または第２の発明の無線通信装置において、表示信号生成部は、記号自体の色を変化させることによってネットワーク通信に関する通信状態の変化を表示する表示信号を生成するものである。この構成により、ネットワーク通信による通信の可否を記号自体の色によって表示することが可能になるという作用を有する。
【００１８】
第４の発明の無線通信装置は、第１の発明〜第３の発明のいずれか１つの無線通信装置において、表示信号生成部は、記号内の線の種類を変化させることによってネットワーク通信に関する通信状態の変化を表示する表示信号を生成するものである。この構成により、ネットワーク通信による通信の可否を記号内の線の種類によって表示することが可能になるという作用を有する。
【００１９】
第５の発明の無線通信装置は、第１の発明〜第４の発明のいずれか１つの無線通信装置において、表示信号生成部は、記号を表示する際の当該記号の点滅パターンを変化させることによってネットワーク通信に関する通信状態の変化を表示する表示信号を生成するものである。この構成により、ネットワーク通信による通信の可否を記号を表示する際の当該記号の点滅パターンによって表示することが可能になるという作用を有する。
【００２０】
第６の発明の無線通信装置は、第５の発明の無線通信装置において、記号の点滅パターンを、記号を点滅させる点滅周期とするものである。この構成により、ネットワーク通信による通信の可否を記号を表示する際の記号の点滅周期によって表示することが可能になるという作用を有する。
【００２１】
第７の発明の無線通信装置は、第１の発明〜第６の発明のいずれか１つの無線通信装置において、表示部を液晶ディスプレイを含んで構成するものとする。この構成により、ネットワーク通信による通信の可否を液晶ディスプレイによって表示することが可能になるという作用を有する。
【００２２】
第８の発明の無線通信装置は、第１の発明〜第６の発明のいずれか１つの無線通信装置において、表示部を発光ダイオードを含んで構成するものとする。この構成により、ネットワーク通信による通信の可否を発光ダイオードによって表示することが可能になるという作用を有する。
【００２３】
第９の発明の無線通信装置は、基地局との無線通信および通信ネットワークを介したネットワーク通信を行う無線通信装置において、ネットワーク通信を行う際のネットワーク通信プロトコルの接続状態をネットワーク接続状態として検出する接続状態検出部と、ネットワーク通信に関する通信状態を音出力によって通知するための音信号を、接続状態検
出部が検出したネットワーク接続状態に基づいて生成する音信号生成部と、音信号生成部が生成した音信号に基づいて、ネットワーク通信に関する通信状態を通知するための音出力を行う音出力部と、を備えるものである。この構成により、ＩＰ電話の接続状態等のネットワーク通信に関する通信状態を、音出力によって通知することが可能となる。また、ネットワーク通信に関する通信状態の表示用に新たに記号の表示領域を設ける必要がなく、ユーザの視認性や操作性に影響する表示レイアウトの変更も不要になるという作用を有する。
【００２４】
第１０の発明の無線通信装置は、第９の発明の無線通信装置において、音信号生成部は、音出力の音周波数を変化させることによってネットワーク通信に関する通信状態の変化を通知する音信号を生成するものである。この構成により、ネットワーク通信に関する通信状態を、音出力の音周波数によって通知することが可能になるという作用を有する。
【００２５】
第１１の発明の無線通信装置は、第９の発明の無線通信装置において、音信号生成部は、音出力の出力断続周期を変化させることによってネットワーク通信に関する通信状態の変化を通知する音信号を生成するものである。この構成により、ネットワーク通信に関する通信状態を、音出力の出力断続周期によって通知することが可能になるという作用を有する。
【００２６】
第１２の発明の無線通信装置は、基地局との無線通信および通信ネットワークを介したネットワーク通信を行う無線通信装置において、ネットワーク通信を行う際のネットワーク通信プロトコルの接続状態をネットワーク接続状態として検出する接続状態検出部と、ネットワーク通信に関する通信状態を振動出力によって通知するための振動信号を、接続状態検出部が検出したネットワーク接続状態に基づいて生成する振動信号生成部と、振動信号生成部が生成した振動信号に基づいて、ネットワーク通信に関する通信状態を通知するための振動出力を行う振動出力部と、を備えるものである。この構成により、音が出せない状況であっても、ＩＰ電話の接続状態等のネットワーク通信に関する通信状態を、振動出力によって通知することが可能となる。また、ネットワーク通信に関する通信状態の表示用に新たに記号の表示領域を設ける必要がなく、ユーザの視認性や操作性に影響する表示レイアウトの変更も不要になるという作用を有する。
【００２７】
第１３の発明の無線通信装置は、第１２の発明の無線通信装置において、振動信号生成部は、振動出力の振動周波数を変化させることによってネットワーク通信に関する通信状態の変化を通知する振動信号を生成するものである。この構成により、ネットワーク通信に関する通信状態を、振動出力の音周波数によって通知することが可能になるという作用を有する。
【００２８】
第１４の発明の無線通信装置は、第１２の発明の無線通信装置において、振動信号生成部は、振動出力の出力断続周期を変化させることによってネットワーク通信に関する通信状態の変化を通知する振動信号を生成するものである。この構成により、ネットワーク通信に関する通信状態を、振動出力の出力断続周期によって通知することが可能になるという作用を有する。
【００２９】
第１５の発明の無線通信装置は、基地局との無線通信および通信ネットワークを介したネットワーク通信を行うとともに、ネットワーク通信を行う際の通信状態を表示する無線通信装置において、ネットワーク通信を行う際のネットワーク通信プロトコルの接続状態をネットワーク接続状態として検出する接続状態検出部と、ネットワーク通信に関する通信状態を表示するための表示信号を、接続状態検出部が検出したネットワーク接続状態に基づいて生成する表示信号生成部と、表示信号生成部が生成した表示信号に基づいて、ネットワーク通信に関する通信状態をＬＥＤに表示する表示部と、を備えるものである。こ
の構成により、ＩＰ電話の接続状態等のネットワーク通信に関する通信状態を、ＬＥＤに表示することが可能となる。また、ネットワーク通信に関する通信状態の表示用に新たに記号の表示領域を設ける必要がなく、ユーザの視認性や操作性に影響する表示レイアウトの変更も不要になるという作用を有する。
【００３０】
第１６の発明の情報通知方法は、基地局との無線通信および通信ネットワークを介したネットワーク通信を行う際の通信状態を表示する無線通信装置の情報通知方法において、基地局から受信した電波の強度を無線電波強度として検出する電波強度検出ステップと、ネットワーク通信を行う際のネットワーク通信プロトコルの接続状態をネットワーク接続状態として検出する接続状態検出ステップと、無線通信およびネットワーク通信に関する通信状態を表示するための表示信号を、無線電波強度およびネットワーク接続状態に基づいて生成する表示信号生成ステップと、生成された表示信号に基づいて、通信状態を表示する表示ステップと、を含み、表示ステップは、無線通信に関する通信状態を表示する記号を用いて、ネットワーク通信に関する通信状態を表示するものである。この構成により、ＩＰ電話の接続状態等のネットワーク通信に関する通信状態を、無線通信に関する通信状態を表示する記号を用いて表示するので、無線通信に関する通信の可否と、ネットワーク通信による通信の可否を合わせて表示することができる。また、ネットワーク通信に関する通信状態の表示用に新たに記号の表示領域を設ける必要がなく、ユーザの視認性や操作性に影響する表示レイアウトの変更も不要になるという作用を有する。
【００３１】
第１７の発明の情報通知方法は、基地局との無線通信および通信ネットワークを介したネットワーク通信を行う無線通信装置の情報通知方法において、ネットワーク通信を行う際のネットワーク通信プロトコルの接続状態をネットワーク接続状態として検出する接続状態検出ステップと、ネットワーク通信に関する通信状態を音出力によって通知するための音信号を、ネットワーク接続状態に基づいて生成する音信号生成ステップと、生成された音信号に基づいて、通信状態を通知するための音出力を行う音出力ステップと、を含むものである。この構成により、ＩＰ電話の接続状態等のネットワーク通信に関する通信状態を、音出力によって通知することが可能となる。また、ネットワーク通信に関する通信状態の表示用に新たに記号の表示領域を設ける必要がなく、ユーザの視認性や操作性に影響する表示レイアウトの変更も不要になるという作用を有する。
【００３２】
第１８の発明の情報通知方法は、基地局との無線通信および通信ネットワークを介したネットワーク通信を行う無線通信装置の情報通知方法において、ネットワーク通信を行う際のネットワーク通信プロトコルの接続状態をネットワーク接続状態として検出する接続状態検出ステップと、ネットワーク通信に関する通信状態を振動出力によって通知するための振動信号を、ネットワーク接続状態に基づいて生成する振動信号生成ステップと、生成された振動信号に基づいて、通信状態を通知するための振動出力を行う振動出力ステップと、を含むものである。この構成により、音が出せない状況であっても、ＩＰ電話の接続状態等のネットワーク通信に関する通信状態を、振動出力によって通知することが可能となる。また、ネットワーク通信に関する通信状態の表示用に新たに記号の表示領域を設ける必要がなく、ユーザの視認性や操作性に影響する表示レイアウトの変更も不要になるという作用を有する。
【００３３】
以下、図面を参照しながら、本発明の実施の形態を説明する。以降の説明において、ＩＰ電話のコネクション確立にはＳＩＰ（Ｓｅｓｓｉｏｎ  Ｉｎｉｔｉａｔｉｏｎ  Ｐｒｏｔｏｃｏｌ）を用い、ネットワークの通信プロトコルにはＩＰ（Ｉｎｔｅｒｎｅｔ  Ｐｒｏｔｏｃｏｌ）を用いるものとする。また、無線通信はＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１の無線ＬＡＮ規格に従ってデータの送受信を行うものとする。
【００３４】
（実施の形態１）
本発明の実施の形態１を図１から図５を用いて説明する。図１は、本発明に係る無線電話装置の構成を示すブロック図である。なお、ここでの無線電話装置１は特許請求の範囲に記載の無線通信装置に対応している。
【００３５】
無線電話装置１は、例えば無線ＬＡＮとＩＰネットワーク網を利用して通信を行うＩＰ電話、ＰＤＡ端末等の通信端末である。図１の無線電話装置１において、１２０は無線電話装置１の各部を制御する制御部である。制御部１２０は、ＣＰＵ（Ｃｅｎｔｒａｌ  Ｐｒｏｃｅｓｓｉｎｇ  Ｕｎｉｔ）１２１、ＲＯＭ（Ｒｅａｄ  Ｏｎｌｙ  Ｍｅｍｏｒｙ）１２２、ＲＡＭ（ＲａｎｄｏｍＡＣＣＥＳＳ  Ｍｅｍｏｒｙ）１２３がＣＰＵバス１２４に接続されて構成されたマイクロコンピュータ等である。なお、ここでの制御部１２０が特許請求の範囲に記載の表示信号生成部、接続状態検出部に対応している。すなわち、制御部１２０はネットワーク接続状態を検出するとともに、通信状態を表示するための表示信号を生成する。
【００３６】
ここでのＲＯＭ１２２は、無線電話装置１において実行するプログラムやフォントデータ、通信処理や表示処理を実行する上で必要なデータが予め記録されている。例えば、後述する接続状態に応じた表示パターン（接続状態情報テーブル１２等）のデータもＲＯＭ１２２に記憶されている。ＲＡＭ１２３は、制御部１２０による処理の途中結果を一時的に保持するなどの無線電話装置１のＣＰＵ１２１の作業領域として利用される。
【００３７】
キーＩ／Ｆ１３１は、電話番号の入力などを行うテンキー等の入力手段であり、入力結果はＣＰＵバス１２４を介してＣＰＵ１２１に送られる。リンガー１４１は、着信音や警告音を鳴らす音声出力手段（音出力部）であり、バイブレータ１４２は、着信や警告などを振動によって知らせる振動装置（振動出力部）であり、それぞれ制御部１２０によって制御される。
【００３８】
ＬＣＤ（Ｌｉｑｕｉｄ  Ｃｒｙｓｔａｌ  Ｄｉｓｐｌａｙ）１１１は、制御部１２０による処理結果をビットマップデータとして表示する情報表示手段であり、ＬＥＤ（Ｌｉｇｈｔ  Ｅｍｉｔｔｉｎｇ  Ｄｉｏｄｅ）１１２は制御部１２０の制御によって点燈、消灯、点滅などの動作を行う情報表示手段である。なお、ここでのＬＣＤ１１１やＬＥＤ１１２が特許請求の範囲に記載の表示部に対応している。
【００３９】
次に、無線電話装置１の受信系の機能について説明する。１０１はアンテナであり、１０２はアンテナ１０１によって受信された電波からデータを取り出すとともに受信感度（無線電波強度）を検出する無線部である。なお、ここでの無線部１０２が特許請求の範囲に記載の電波強度検出部に対応している。
【００４０】
１０３は、無線部１０２からの信号をＡ／Ｄ変換し、受信した信号の判別、エラー訂正、複合処理を行って、音声データなどのストリームデータと、その他の通信データとに分離するベースバンド部である。ベースバンド部１０３によって分離された音声データは、コーディック１０４に供給（入力）され、その他の通信データは制御部１２０に供給される。
【００４１】
コーディック１０４に供給されたストリームデータはＤ／Ａ変換されて音声出力としてスピーカ１０６より出力される。一方、制御部１２０に供給された通信データは、制御部１２０のＲＡＭ１２３に一時記憶されてプログラム動作制御などに利用される。
【００４２】
次に、無線電話装置１の送信系の機能について説明する。マイク１０５は、集音した音声をアナログ音声信号に変換し、このアナログ音声信号をコーディック１０４に供給する
。
【００４３】
コーディック１０４は、マイク１０５から供給されたアナロ音声信号を所定の符号化方式で符号化して圧縮し、ディジタルデータへと変換する。コーディック１０４によって変換されたディジタルデータはベースバンド部１０３で所定のブロックにまとめられ、無線部１０２に供給される。無線部１０２は、ベースバンド部１０３から供給されたディジタルデータから、無線送信するための変調信号を生成する。無線部１０２によって生成された変調信号はアンテナ１０１を介して送信される。
【００４４】
次に、図１に示した無線電話装置１の外観構成について図２を用いて説明する。図２に示すように無線電話装置１には、テンキー、通話開始キー、終話キーなどから構成されるキーＩ／Ｆ１３１、情報を表示するためのＬＣＤ１１１やＬＥＤ１１２、スピーカ１０６、マイク１０５、アンテナ１０１などを含んで構成されている。
【００４５】
ここで、ＩＰ電話機能を備えた無線電話装置１を含んで構成される無線通信システムについて説明する。図３は、無線電話装置を含む無線通信システムの構成の一例を示す図である。
【００４６】
無線通信システムは、無線電話装置１、無線電話装置１と無線通信を行う基地局２、基地局２とインターネット（ＩＰ網）４を介して接続されるＳＩＰサーバ３を含んで構成されている。なお、ここでの基地局２は、ルータとしての機能も備えている。
【００４７】
また、ＳＩＰサーバ３は、無線電話装置１に対するＩＰアドレスの付与（ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能）、無線電話装置１に関する情報をロケーションサーバに登録する機能（レジストラ機能）、ロケーションサーバとしての機能（ＳＩＰ電話のＩＰアドレスと電話番号を対応づけて管理する機能）を備えている。
【００４８】
無線電話装置１は、まず基地局２（ルータ）との間で無線のリンクアップを試みる。無線のリンクアップの方法については、無線ＬＡＮの規格書「ＡＮＳＩ／ＩＥＥＥ８０２．１１Ｓｔｄ  １９９９  Ｅｄｉｔｉｏｎ」等に規定されており、既存の無線ＬＡＮ技術で確立されているためここでの詳細な説明は省略する。
【００４９】
無線電話装置１が無線のリンクアップを行う際、無線電話装置１は基地局２から発信される電波の受信感度を無線部１０２が測定し、その結果に応じて制御部１２０が通信状態の表示制御をおこなう。このとき、制御部１２０はＲＯＭ１２２に登録（設定）されている所定の情報テーブル（無線状態と表示の対応関係を示す情報）に基づいて、通信状態の表示制御を行う。
【００５０】
図４は、無線状態と図形表示の対応関係を示す無線状態情報テーブルの構成の一例を示す図である。例えば、図４に示す無線状態情報テーブル１１がＲＯＭ１２２に登録されていた場合、無線部１０２が受信感度（値）＜ａ（ｄＢｍ）を検出すると、制御部１２０は無線通信を行えないことを示すビットマップ表示（「圏外」）をＬＣＤ１１１に行わせる。無線部１０２がａ（ｄＢｍ）〜ｂ（ｄＢｍ）の間の受信感度を検出すると、制御部１２０は無線状況が若干悪いことを示すビットマップ表示をＬＣＤ１１１に行わせる。無線部１０２が受信感度＞ｂ（ｄＢｍ）を検出すると、制御部１２０は無線状態が良好であることを示すビットマップ表示をＬＣＤ１１１に行わせる。
【００５１】
なお、ここでは受信状況を表す図として図４を一例として説明しているが、受信状況の表示はこの例に限られず、受信感度を表す文字列や、その他ユーザが受信感度を認識でき
る表示であれば、何れの表示でも構わない。
【００５２】
ここで、制御部１２０によるＩＰ電話の接続状態に応じた表示処理について詳細に説明する。図５は、ＩＰ電話の接続状態に応じた表示処理の処理手順を示すフローチャートである。
【００５３】
まず、制御部１２０は、初期状態としてＬＣＤ１１１に対して、リンクアップなし状態を示す背景色を表示するようＬＣＤ１１１に要求する（ＬＣＤ１１１の制御）。例えば、ＲＯＭ１２２に図６（ａ）に示す接続状態情報テーブル１２（ＩＰ電話の接続状態と背景表示の対応関係を示す情報）が登録されていた場合、リンクアップなし状態では制御部１２０はＬＣＤ１１１の背景色を赤色にさせる（Ｓ１）。
【００５４】
次に、制御部１２０は、無線部１０２が検出した受信感度が何れの状態であるかを無線部１０２に問い合わせる。これにより、制御部１２０は、無線電話装置１が基地局２との間で無線のリンクアップを完了できたか否かを判断する（Ｓ２）
ＲＯＭ１２２に図４に示す無線状態情報テーブル１１が登録されている場合、受信感度（値）＜ａ（ｄＢｍ）であれば，制御部１２０はリンクアップなしと判断して（Ｓ２、Ｎｏ）、接続状態の表示制御処理を終了する。一方、受信感度＞ａ（ｄＢｍ）であれば、制御部１２０はリンクアップが成立していると判断し（Ｓ２、Ｙｅｓ）、制御部１２０はＬＣＤ１１１に対してリンクアップ完了状態を示すビットマップを表示するように要求する。ＲＯＭ１２２に図６（ａ）に示す接続状態情報テーブル１２が登録されていた場合、制御部１２０はＬＣＤ１１１の背景色を黄色にさせる（Ｓ３）。
【００５５】
次に、制御部１２０はＩＰアドレスの取得処理を行う。制御部１２０は、図３に示すＳＩＰサーバ３からＩＰアドレスを取得する（Ｓ４）。すなわち、無線電話装置１（制御部１２０）は、基地局２、インターネット４を介してＳＩＰサーバ３にＩＰアドレスの取得要求を送信し、ＳＩＰサーバ３からＩＰアドレスを取得する。
【００５６】
制御部１２０は、ＩＰアドレスの取得に失敗した場合には（Ｓ５、Ｎｏ）、接続状態の表示制御処理を終了する。一方、制御部１２０がＩＰアドレスの取得に成功した場合には（Ｓ５、Ｙｅｓ）、ＬＣＤ１１１に対してＩＰ取得完了状態を示すビットマップを表示するように要求する。ＲＯＭ１２２に図６（ａ）に示す接続状態情報テーブル１２が登録されていた場合、制御部１２０はＬＣＤ１１１の背景色を青色にさせる（Ｓ６）。
【００５７】
次に、制御部１２０はＳＩＰサーバ３への自端末情報の登録処理（無線電話装置１に関する情報の登録処理）（以下、レジストという）を行う。ここでの自端末情報とは、具体的には無線電話装置１の電話番号などの情報である。
【００５８】
ＳＩＰサーバ３へのレジスト要求は、図３に示すＳＩＰサーバ３に対して行う（Ｓ７）。ＳＩＰサーバ３から無線電話装置１へは所定の応答情報が送信される。この応答情報に基づいて、制御部１２０は、ＳＩＰサーバ３へのレジストを完了できたか否かを判断する（Ｓ８）
制御部１２０は、レジストに失敗した場合には（Ｓ８、Ｎｏ）、接続状態の表示制御処理を終了する。一方、制御部１２０は、レジストに成功した場合（Ｓ８、Ｙｅｓ）、ＬＣＤ１１１に対してレジスト完了状態を示すビットマップを表示するように要求する。ＲＯＭ１２２に図６（ａ）に示す接続状態情報テーブル１２が登録されていた場合、制御部１２０はＬＣＤ１１１の背景色を黒色にさせる（Ｓ９）。
【００５９】
以上の処理により、無線電話装置１は、無線の受信感度とＩＰ電話の接続状態を多重化して表現（通知）することができる。図６（ｂ）は、図４に示す無線状態情報テーブル１
１及び図６（ａ）に示す接続状態情報テーブル１２がＲＯＭ１２２に登録されていた場合の、ＬＣＤ１１１の表示例を示す図である。
【００６０】
図６（ｂ）においては、無線の受信感度（無線電話装置１と基地局２との間の無線状態）をアンテナ（記号）の本数で表示し、ＩＰ電話の接続状態をＬＣＤ１１１の背景色（記号であるアンテナの背景色）で表示している。これらの表示によって無線電話装置１のユーザは、無線電話装置１による通話の可否を正確に知ることが可能となる。換言すると、ＩＰ電話の接続状態等のネットワーク通信に関する通信状態を、無線通信に関する通信状態を表示する記号（アンテナの図形）を用いて表示するので、無線通信に関する通信の可否と、ネットワーク通信による通信の可否を合わせて表示することが可能となる。したがって、ユーザは何れのアプリケーションが利用可能な状態であるかを知ることが可能となる。
【００６１】
特にＩＰ電話はネットワーク（インターネット４）を利用した電話であり、このためネットワークの混雑状況や各種サーバの状態によってはＩＰアドレスが取得できない場合がある。また、ＩＰアドレスは取得できたがＳＩＰ電話としての登録ができない（レジストができない）などの障害が起きる可能性がある。
【００６２】
具体的な障害の例としては、ＩＰアドレスの取得の際にはＤＨＣＰサーバにＩＰアドレスの取得を要求するのが一般的であるが、ＤＨＣＰ取得の要求（又は応答）がネットワークトラフィックのためにＤＨＣＰサーバに届かない、ＤＨＣＰ取得の要求がＤＨＣＰサーバに到達したがＩＰ枯渇のためにＩＰアドレスが取得できない、ＳＩＰサーバ３に対する端末登録のリクエストを行うがネットワークトラフィックのためにその要求（又は応答）が届かいなどである。
【００６３】
このような障害（トラブル）が発生した場合、無線状態は良好であるが実際には通話が出来ないといった現象が発生する。このため、無線電話装置１が無線の受信感度の表示だけしか行わなければ、ユーザは通話の可否を知ることができない。さらに、ユーザは何故通話ができないのかその原因を知ることができない。
【００６４】
本実施の形態１においては、無線電話装置１のＩＰ電話の接続状態を色によって表現（表示）しているので、上述した問題点が解消される。すなわち、ＩＰ電話の接続状態に障害が発生した場合であっても、ユーザは通話の可否を知ることが可能となる。また、ユーザは、通話のできな原因が無線電話装置１と基地局２との間の無線状態によるものであるか、ＩＰ電話の接続状態によるものであるかを知ることが可能となる。
【００６５】
また、ＬＣＤ１１１は、ＳＩＰサーバ３と基地局２との接続状態を示すための表示領域を、無線状態を表示する表示領域とは別に（新たに）設けていないので、ユーザの視認性や操作性に影響する表示レイアウト変更が不要となり、ＩＰ電話の接続状態を小さな表示領域で効率良く表示することが可能となる。
【００６６】
なお、本実施の形態１では、ＩＰ電話の接続状態をＬＣＤ１１１の背景色で表現する場合について説明したが、ＩＰ電話の接続状態を無線の受信感度を示すアンテナ等の図形自体（記号自体）の色で表現してもよい。図６（ｃ）は、図形の色でＩＰ電話の接続状態を表現する場合を説明するための図である。同図に示すように、ＬＣＤ１１１は、無線の受信感度（無線電話装置１と基地局２との間の無線状態）をアンテナの本数で表示するとともに、ＩＰ電話の接続状態をアンテナ（図形）の色で表示している。例えばリンクアップなしの状態では、アンテナ等の無線の受信感度を示す図形を赤色に点灯させる。また、リンクアップまで完了した状態では、アンテナ等の無線の受信感度を示す図形を黄色に点灯させる。また、ＩＰアドレスの取得が完了した状態では、アンテナ等の無線の受信感度を
示す図形を青色に点灯させる。また、ＳＩＰサーバ３のレジストまで完了した状態では、アンテナ等の無線の受信感度を示す図形を黒色に点灯させる。これらの表示によって無線電話装置１のユーザは、無線電話装置１による通話の可否を記号自体の色に基づいて、正確に知ることが可能となる。
【００６７】
（実施の形態２）
次に、本発明の実施の形態２について説明する。実施の形態２では、ＩＰ電話の接続状態を、無線の受信感度を示す図形（アンテナなどの記号の線）の線種によって表示する。制御部１２０は、後述する接続状態情報テーブル１３に基づいて、ＬＣＤ１１１にＩＰ電話の接続状態を表示させる。
【００６８】
図７（ａ）は、実施の形態２に係る接続状態情報テーブルの構成の一例を示す図である。接続状態情報テーブル１３は、図形の線種とＩＰ電話の接続状態の対応関係を示す情報テーブルである。
【００６９】
ここでの制御部１２０は、ＩＰ電話の接続状態と、ＲＯＭ１２２が記憶する図７（ａ）に示す接続状態情報テーブル１３（ＩＰ電話の接続状態と表示（線種）の対応関係を示す情報）とを比較し、ＩＰ電話の接続状態に対応する線種を選択する。
【００７０】
制御部１２０は、ＩＰ電話の接続状態に対応する線種を選択すると、この線種を無線の受信感度を示す図形に多重化してＬＣＤ１１１上に表示させる。すなわち、ここでの制御部１２０は、ＩＰ電話の接続状態をアンテナ（図形）の線種によって表示させる。
【００７１】
図７（ｂ）は、図形の線種でＩＰ電話の接続状態を示した図である。同図に示すように、ＬＣＤ１１１は、無線の受信感度（無線電話装置１と基地局２との間の無線状態）をアンテナの本数で表示するとともに、ＩＰ電話の接続状態をアンテナ（図形）の線種によって表示している。これらの表示によって無線電話装置１のユーザは、無線電話装置１による通話の可否を正確に知ることが可能となる。
【００７２】
このように実施の形態２では、ＩＰ電話の接続状態を図形の線種で表現しているので、ユーザは図形の線種によってＩＰ電話の通信状態や通話の可否を判断できる。また、ＬＣＤ１１１はＩＰ電話の接続状態を受信感度を示す図形に多重化して表現しているので、ＩＰ電話の接続状態を表示するための領域を設ける必要がなく、ユーザの視認性や操作性に影響するレイアウト変更も不要となる。したがって、ＩＰ電話の接続状態を小さな表示領域で効率良く表示することが可能となる。
【００７３】
なお、本実施の形態２では、ＩＰ電話の接続状態を図形（アンテナ）の線種で表現する場合について説明したが、ＩＰ電話の接続状態を図形自体（無線の受信感度を示すアンテナ等）の点灯（点滅）パターン（点滅周期）で表現してもよい。この場合、制御部１２０は、後述する接続状態情報テーブル１４に基づいて、ＬＣＤ１１１にＩＰ電話の接続状態を表現させる。
【００７４】
図７（ｃ）は、接続状態情報テーブル（ＩＰ電話の接続状態と図形の点灯パターンの対応関係）の構成の一例を示す図である。同図に示すように、例えばリンクアップなしの状態では、アンテナ等の無線の受信感度を示す図形を５秒毎に点灯させる。また、リンクアップまで完了した状態では、アンテナ等の無線の受信感度を示す図形を２秒毎に点灯させる。また、ＩＰアドレスの取得が完了した状態では、アンテナ等の無線の受信感度を示す図形を１秒毎に点灯させる。また、ＳＩＰサーバ３のレジストまで完了した状態では、アンテナ等の無線の受信感度を示す図形を常に点灯させる。なお、接続状態情報テーブル１４は予めＲＯＭ１２２に格納しておく。このように、ＩＰ電話の接続状態を図形（記号）
を表示する際の点滅パターン（点滅周期）で表現しているので、ユーザは図形の点滅パターン（点滅周期）によってＩＰ電話の通信状態や通話の可否を判断可能となる。
【００７５】
（実施の形態３）
次に、本発明の実施の形態３について説明する。実施の形態３では、ＩＰ電話の接続状態を、リンガー（音出力部）１４１からの出力音によって通知する。制御部１２０は、後述する接続状態情報テーブル１５に基づいて、リンガー１４１にＩＰ電話の接続状態を通知させる。なお、ここでの制御部１２０は特許請求の範囲に記載の音信号生成部に対応している。
【００７６】
図８（ａ）実施の形態３に係る接続状態情報テーブルの構成の一例を示す図である。接続状態情報テーブル１５は、出力音の種類とＩＰ電話の接続状態の対応関係を示す情報テーブルである。
【００７７】
ここでの制御部１２０は、ＩＰ電話の接続状態と、ＲＯＭ１２２が記憶する図８（ａ）に示す接続状態情報テーブル１５（ＩＰ電話の接続状態と出力音の対応関係を示す情報）とを比較し、ＩＰ電話の接続状態に対応する出力音（音出力の音周波数や音出力の出力断続周期）を選択する。
【００７８】
制御部１２０は、ＩＰ電話の接続状態に対応する出力音を選択すると、この出力音をリンガー１４１から出力させる。制御部１２０は、例えばリンクアップなしの状態では、リンガー１４１から音を出力させず（無音）、リンクアップまで完了した状態では、リンガー１４１から音源１（「ピ」音）を出力させる。
【００７９】
また、制御部１２０は、ＩＰアドレスの取得が完了した状態では、リンガー１４１から音源２（「ピピ」音）を出力させ、ＳＩＰサーバ３のレジストまで完了した状態では、リンガー１４１から音源３（「ピピピ」音）を出力させる。なお、接続状態情報テーブル１５は予めＲＯＭ１２２に格納しておく。
【００８０】
このように実施の形態３では、ＩＰ電話の接続状態を出力音の種類（音出力の音周波数や音出力の出力断続周期）（出力状態）で表現しているので、ユーザは出力音の種類によってＩＰ電話の通信状態や通話の可否を判断できる。また、出力音だけでＩＰ電話の接続状態を表現しているので、ＩＰ電話の接続状態を表示するための領域を設ける必要がなく、ユーザの視認性や操作性に影響するレイアウト変更も不要となる。したがって、ＩＰ電話の接続状態を効率良く通知することが可能となる。また、出力音によってＩＰ電話の接続状態を通知するため、ユーザは端末画面（無線電話装置１のＬＣＤ１１１）を確認しなくてもＩＰ電話の通信状態を把握することが可能となる。
【００８１】
なお、本実施の形態３では、図８（ａ）に示す接続状態情報テーブル１５に基づいたリンガー１４１からの出力音の種類によってＩＰ電話の接続状態を表現する場合について説明したが、出力音の種類はこれらの音に限られず、ユーザが接続状態を認識できる音であれば何れの音であっても構わない。
【００８２】
また、本実施の形態３では、ＩＰ電話の接続状態を出力音の種類で表現する場合について説明したが、ＩＰ電話の接続状態をバイブレータ１４２からの出力振動（振動出力の振動周波数や振動出力の出力断続周期）で表現してもよい。この場合、制御部１２０は、後述する接続状態情報テーブル１６などに基づいて、バイブレータ（振動出力部）１４２にＩＰ電話の接続状態を表現させる。
【００８３】
図８（ｂ）は、出力振動の種類とＩＰ電話の接続状態の対応関係を示す接続状態情報テ
ーブルの構成の一例を示す図である。制御部（振動信号生成部）１２０は、例えばリンクアップなしの状態では、バイブレータ１４２に振動を出力させず（振動なし）、リンクアップまで完了した状態では、バイブレータ１４２から振動１（２秒間の振動）を出力させる。
【００８４】
また、制御部１２０は、ＩＰアドレスの取得が完了した状態では、バイブレータ１４２から振動２（５秒間の振動）を出力させ、ＳＩＰサーバ３のレジストまで完了した状態では、バイブレータ１４２から振動３（１０秒間の振動）を出力させる。なお、接続状態情報テーブル１６は予めＲＯＭ１２２に格納しておく。
【００８５】
なお、ここでは図８（ｂ）に示す接続状態情報テーブル１６に基づいたバイブレータ１４２からの出力振動の種類によってＩＰ電話の接続状態を表現する場合について説明したが、出力振動の種類はこれらの振動に限られず、ユーザが接続状態を認識できる振動であれば何れの振動音であっても構わない。これにより、ＩＰ電話の接続状態を出力音の種類（振動出力の周波数や振動出力の出力断続周期）（出力状態）で表現しているので、ユーザは出力音の種類によってＩＰ電話の通信状態や通話の可否を判断できる。
【００８６】
さらに、ＩＰ電話の接続状態をＬＥＤ１１２の点燈パターン（点灯状態）で表現してもよい。この場合、制御部１２０は、後述する接続状態情報テーブル１７などに基づいて、ＬＥＤ１１２にＩＰ電話の接続状態を表現させる。
【００８７】
図８（ｃ）は、ＬＥＤの点灯状態とＩＰ電話の接続状態の対応関係を示す接続状態情報テーブルの構成の一例を示す図である。制御部１２０は、例えばリンクアップなしの状態では、ＬＥＤ１１２を赤色に発光させ、、リンクアップまで完了した状態では、ＬＥＤ１１２を黄色に発光させる。
【００８８】
また、制御部１２０は、ＩＰアドレスの取得が完了した状態では、ＬＥＤ１１２を青色に発光させ、ＳＩＰサーバ３のレジストまで完了した状態では、ＬＥＤ１１２を黒色に発光させる。なお、接続状態情報テーブル１７は予めＲＯＭ１２２に格納しておく。
【００８９】
なお、制御部１２０はリンガー１４１からの音の出力、バイブレータ１４２による振動を、それぞれ予め設定された所定の出力タイミング、所定の出力周期に基づいて行わせる。また、制御部１２０はリンガー１４１からの音の出力、バイブレータ１４２による振動を、キーＩ／Ｆ１３１から所定の指示情報（接続状態の確認指示）が入力された際に行わせることとしてもよい。これにより、ＩＰ電話の接続状態等のネットワーク通信に関する通信状態を、ＬＥＤ１１２に表示することが可能となる。また、ネットワーク通信に関する通信状態の表示用に新たに記号の表示領域を設ける必要がなく、ユーザの視認性や操作性に影響する表示レイアウトの変更も不要になる。
【００９０】
また、ＩＰ電話の接続状態は、実施の形態１〜３で説明した、ＬＣＤ１１１による種々の表示、スピーカによる音の出力、バイブレータ１４２による振動、ＬＥＤ１１２による発光等を組み合わせてユーザに通知してもよい。
【産業上の利用可能性】
【００９１】
以上のように、本発明に係る無線通信装置および情報通知方法は、通信接続状態の通知に適している。
【図面の簡単な説明】
【００９２】
【図１】本発明に係る無線電話装置の構成を示すブロック図
【図２】図１に示した無線電話装置の外観構成を示す図
【図３】無線電話装置を含む無線通信システムの構成の一例を示す図
【図４】無線状態と図形表示の対応関係を示す無線状態情報テーブルの構成の一例を示す図
【図５】ＩＰ電話の接続状態に応じた表示処理の処理手順を示すフローチャート
【図６】（ａ）接続状態情報テーブル（ＩＰ電話の接続状態と背景表示の対応関係）の一例を示す図、（ｂ）ＬＣＤの表示例（１）を示す図、（ｃ）ＬＣＤの表示例（２）を示す図
【図７】（ａ）実施の形態２に係る接続状態情報テーブルの構成の一例を示す図、（ｂ）図形の線種でＩＰ電話の接続状態を示した図、（ｃ）接続状態情報テーブル（ＩＰ電話の接続状態と図形の点灯パターンの対応関係）の構成の一例を示す図
【図８】（ａ）実施の形態３に係る接続状態情報テーブルの構成の一例を示す図、（ｂ）出力振動の種類とＩＰ電話の接続状態の対応関係を示す接続状態情報テーブルの構成の一例を示す図、（ｃ）ＬＥＤの点灯状態とＩＰ電話の接続状態の対応関係を示す接続状態情報テーブルの構成の一例を示す図
【図９】従来の無線電話装置の構成を示すブロック図
【図１０】従来の無線電話装置の受信状態の表示例を示す図
【図１１】従来の携帯電話のディスプレイ表示の一部を示す図
【符号の説明】
【００９３】
１，２００    無線電話装置
２    基地局
３    ＳＩＰサーバ
４    インターネット
１１    無線状態情報テーブル
１２〜１７    接続状態情報テーブル
１０１，２０２    アンテナ
１０２    無線部
１０３，２０４    ベースバンド部
１０４    コーディック
１０５，２０６    マイク
１０６，２０５    スピーカ
１１１    ＬＣＤ
１１２    ＬＥＤ
１２０，２０９    制御部
１２１    ＣＰＵ
１２２    ＲＯＭ
１２３    ＲＡＭ
１２４    ＣＰＵバス
１３１    キーＩ／Ｆ
１４１    リンガー
１４２    バイブレータ
２０２    受信部
２０３    送信部
２０７    Ａ／Ｄ変換部
２０８    判定部
２１０    表示部
【図１】
2007150797.tif 000003
【図２】
2007150797.tif 000004
【図３】
2007150797.tif 000005
【図４】
2007150797.tif 000006
【図５】
2007150797.tif 000007
【図６】
2007150797.tif 000008
【図７】
2007150797.tif 000009
【図８】
2007150797.tif 000010
【図９】
2007150797.tif 000011
【図１０】
2007150797.tif 000012
【図１１】
2007150797.tif 000013